(57)【要約】【課題】ゴミ捨て時に、ゴミやホコリの飛散防止を十分にできると共に、綿埃等の塵埃が容器本体の内周面に摩擦係止させられていても、蓋体を開くことで綿埃等の塵埃を容易に落下させることができる電気掃除機の集塵容器を提供すること。【解決手段】風路１６ｂから掃除機本体１の電動送風機７の吸込開口７ｃまでの吸込風路途中に着脱可能に設けられて風路１６ｂから吸い込まれる塵埃を捕捉する集塵室１４を有した集塵容器本体１３と、集塵容器本体１３に設けられた取手２１と、集塵容器本体１３にヒンジで取り付けられて集塵室１４のゴミ捨て用の開口を開閉する底蓋２６と、底蓋２６が前記開口を閉成している状態で前記底蓋２６を前記集塵容器本体１３にロックするロック装置３１と、ロック装置３１のロックを解除するロック解除装置３５を備えている。しかも、底蓋２６は集塵容器本体１３の前記ゴミ捨て用の開口面からそれに隣接する面に亘る一対の分割底蓋２７，２７を備え、一対の分割底蓋２７，２７は観音開き状に前記集塵容器本体１３にヒンジ２８で取り付けられている。【選択図】  図９
2005087507.tif 000002
【特許請求の範囲】
【請求項１】
塵埃吸込口から掃除機本体の電動送風機の吸込開口までの吸込風路途中に着脱可能に設けられて前記塵埃吸込口から吸い込まれる塵埃を捕捉する集塵室を有した集塵容器本体と、前記集塵容器本体に設けられた持ち運び用の取手と、前記集塵容器本体にヒンジで取り付けられて前記集塵室のゴミ捨て用の開口を開閉する蓋体と、前記蓋体が前記開口を閉成している状態で前記蓋体を前記集塵容器本体にロックするロック装置と、前記ロック装置のロックを解除するロック解除手段を備える電気掃除機の集塵容器において、
前記蓋体は前記集塵容器本体の前記ゴミ捨て用の開口面からそれに隣接する面に亘る一対の分割蓋体を備え、前記一対の分割蓋体は観音開き状に前記集塵容器本体にヒンジで取り付けられていることを特徴とする電気掃除機の集塵容器。
【請求項２】
請求項１に記載の電気掃除機の集塵容器において、前記取手は前記集塵容器本体の側面に取り付けられ、前記一対の分割蓋体は前記取手を中心に左右に配設されていることを特徴とする電気掃除機の集塵容器。
【請求項３】
請求項１又は２に記載の電気掃除機の集塵容器において、前記集塵容器本体には前記集塵室と前記電動送風機の吸込開口とを連通させる連通口が形成され、前記連通口には前記塵埃吸込口から前記集塵室内に吸い込まれる塵埃を捕捉するネットフィルタが取り付けられていると共に、前記分割蓋体の開動作に連繋して動作して前記ネットフィルタの集塵室側の面に捕捉された塵埃を前記ゴミ捨て用の開口側に掻き落とす塵埃払拭部材が設けられていることを特徴とする電気掃除機の集塵容器。
【発明の詳細な説明】
【技術分野】
【０００１】
この発明は、塵埃吸込口から掃除機本体の電動送風機の吸込開口までの吸込風路途中に着脱可能に設けられて、塵埃吸込口から吸い込まれる塵埃を捕捉するようにした電気掃除機の集塵容器に関するものである。
【背景技術】
【０００２】
この種の集塵容器としては、上端が開口するカップ状の容器本体の側面に塵埃吸込口を設け、前記開口に着脱可能なフィルタを取り付けたものが知られている（例えば、特許文献１参照）。
【０００３】
しかし、この集塵容器では、容器本体内の集塵室に捕捉した塵埃を捨てる場合、フィルタを取り外す必要があるため、塵埃を捨てるのに手間がかかるものであった。
【０００４】
そこで、この様な問題を解決する集塵容器としては、上述したカップ状の容器本体を斜め又は縦の分割ラインで２つの分割容器に分割すると共に、この２つの分割容器を開閉可能に上部で結合した集塵ケースも知られている（例えば、特許文献２参照）。この集塵容器では、２つの分割容器を下端が互いに離反するように開くことで、塵埃を容易に捨てることができるようにしている。
【０００５】
しかし、この集塵容器では、一方の分割容器に取手が一体に設けられているため、この取手が設けられた側の分割容器の底壁に堆積した塵埃を捨てるには、この分割容器を作業者が取手と共に傾斜させて底壁を傾斜させる必要があった。
【０００６】
このれを解消する集塵容器としては、下端が開口する容器本体の側面に上下に延びる取手を設け、底蓋を取手とは反対側の部分にヒンジで取り付け、底蓋の取手側の部分と容器本体の下端部との間に底蓋のロック装置を介装すると共に、取手にロック装置のロック解除ボタンを取り付けた底蓋開閉式のものが知られている（例えば、特許文献３参照）。
【特許文献１】特開２００３−２１９９９４号公報
【特許文献２】特開２００２−３２５７０４号公報
【特許文献３】特開２００３−１９０９７号公報
【発明の開示】
【発明が解決しようとする課題】
【０００７】
しかしながら、底蓋開閉式の集塵容器では、上述したようにロック解除ボタンを押すと、ロック装置による蓋体のロックが解除されて、蓋体が取手とは反対側のヒンジを中心に開く構造であると共に、底蓋の回転半径が大きいため、ゴミ箱上でのゴミ捨て時に、ゴミやホコリの飛散防止を十分にできないものであった。
【０００８】
また、綿埃等の塵埃が集塵容器の底部に圧縮した状態で堆積させられている場合、綿埃が容器本体の内周面に摩擦係止させられることもある。この場合、単に底蓋を開いても、綿埃が落下しない場合があるという問題があった。
【０００９】
そこで、この発明は、ゴミ捨て時に、ゴミやホコリの飛散防止を十分にできると共に、綿埃等の塵埃が容器本体の内周面に摩擦係止させられていても、蓋体を開くことで綿埃等の塵埃を容易に落下させることができる電気掃除機の集塵容器を提供することを目的とするものである。
【課題を解決するための手段】
【００１０】
この目的を達成するため、この発明は、塵埃吸込口から掃除機本体の電動送風機の吸込開口までの吸込風路途中に着脱可能に設けられて前記塵埃吸込口から吸い込まれる塵埃を捕捉する集塵室を有した集塵容器本体と、前記集塵容器本体に設けられた持ち運び用の取手と、前記集塵容器本体にヒンジで取り付けられて前記集塵室のゴミ捨て用の開口を開閉する蓋体と、前記蓋体が前記開口を閉成している状態で前記蓋体を前記集塵容器本体にロックするロック装置と、前記ロック装置のロックを解除するロック解除手段を備える電気掃除機の集塵容器において、前記蓋体は前記集塵容器本体の前記ゴミ捨て用の開口面からそれに隣接する面に亘る一対の分割蓋体を備え、前記一対の分割蓋体は観音開き状に前記集塵容器本体にヒンジで取り付けられている電気掃除機の集塵容器としたことを特徴とする。
【発明の効果】
【００１１】
この構成によれば、ゴミ捨て時に一対の分割蓋体を下方にしてロック解除手段を操作することにより、一対の分割蓋体が互いに離反する方向に開いて、集塵容器本体内の塵埃が一対の分割蓋体の開放端間の中央部に集まるようにして下方に落下することになる。しかも、この際の分割蓋体の回動半径は分割する一つの蓋体の場合の半分になる。この結果、ゴミ箱上でのゴミ捨て時に、ゴミやホコリの飛散防止を十分にできる。また、綿埃等の塵埃が容器本体の内周面に摩擦係止させられていても、蓋体を開くことで綿埃等の塵埃を容易に落下させることができる。
【発明を実施するための最良の形態】
【００１２】
以下、この発明の実施の形態を図面に基づいて説明する。
[構成]
図１において、１は電気掃除機の掃除機本体、２は一端が掃除機本体１に接続される集塵ホース、３は集塵ホース２の自由端部に一体に設けられた手元操作パイプ、４は手元操作パイプ３に接続された延長パイプ（延長管）、５は延長パイプ４に接続された吸込口体である。
【００１３】
手元操作パイプ３は、把手部３ａを有すると共に、操作パネル３ｂを有する。この操作パネル３ｂには「弱／中」吸込風量切り替え用のスイッチＳ１と、「強」吸込風量用のスイッチＳ２と、「切り」用のスイッチＳ３が設けられている。
【００１４】
掃除機本体１は、図３に示したようにケース本体６，電動送風機７，バッテリー８，集塵容器９，ケース側蓋体１０を有する。
【００１５】
ケース本体６は、図２，図３に示したように後ケース部６ａ及び後ケース部６ａの前側下部に連設された載置部６ｂを有する。この後ケース部６ａの前端には端壁６ｃが設けられ、端壁６ｃには連通口（連通路）６ｄが形成されている。
【００１６】
そして、図３に示したように電動送風機７は後ケース部６ａの上部に配設され、バッテリー８は後ケース部６ａの下部に配設されている。この電動送風機７は、遠心ファン部７ａと、遠心ファン部７ａの図示しない遠心ファンを回転駆動するモータ部７ｂを有する。この遠心ファン部７ａの前端には連通口６ｄに連通する吸込開口７ｃが設けられ、モータ部７ｂには排気口７ｄが設けられている。
【００１７】
そして、吸込開口７ｃから吸い込まれたエア（空気）は、モータ部７ｄ内を流れて内部を冷却した後、排気口７ｄからモータ部７ｄの外に排気されるようになっている。そして、この排気されたエアは、後部ケース６ａの側部に設けられた多数の排気孔１１から大気中に排気されるようになっている。
【００１８】
また、載置部６ｂには、図３に示したように上方に開放する載置凹部１２が形成されている。この載置凹部１２内には、上述した集塵容器９の下部が配設されている。
【００１９】
この集塵容器９は集塵容器本体１３を有する。この集塵容器本体１３は、上下に延び且つ下方に開口する筒状容器部１３ａと、筒状容器部１３ａの後部側（図３，４の右側）に連設され且つ後方に開口する筒状部１３ｂを有する。この筒状容器部１３ａ内には下方に開口する第１の集塵室１４が形成され、筒状部１３ｂ内には後方に開口する第２の集塵室１５が形成されている。
【００２０】
また、筒状容器部１３ａの上端部には、前側（図２，図３の左側）に突出し且つ集塵室１４の上端部に連通する小径筒部１６が形成されている。この小径筒部１６の前端には上方に向かうに従って後方に傾斜するフランジ１６ａが一体に形成されている。１６ｂは小径筒部１６内に形成された風路（掃除機本体１の塵埃吸込口）である。
【００２１】
この集塵室１４，１５は筒状容器部１３ａの後壁１３ａ１で区画されている。この後壁１３ａ１には、集塵室１４，１５を連通させる連通口１７が形成されている。この連通口１７はネットフィルタ１８で覆われている。
【００２２】
このネットフィルタ１８は、図３，図４に示したように連通口１７に嵌合され且つ後壁１３ａ１に図示しないビスで着脱可能に取り付けられたフィルタ枠１８ａと、フィルタ枠１８ａの集塵室１４側の面を覆うようにフィルタ枠１８ａに固着されたネット部材１８ｂを有する。
【００２３】
このフィルタ枠１８は、風路１６ｂに対向し且つ風路１６ｂの径よりも僅かに大きい塵埃衝突部（塵埃突当部）１８ａ１を有する。
【００２４】
また、ネット部材１８ｂは、例えばメッシュ状の樹脂繊維フィルタの表面にスパッタリングにより金属被膜層を形成したものが用いられていて、非常にゴミが付着しにくいように滑りやすくなっている。尚、この金属被膜層に変えてネット部材１８ｂの表面をテフロン（登録商標）加工やフッ素加工を施して、ネット部材１８ｂの表面に滑りやすい被膜層を形成してもよい。
【００２５】
また、集塵室１５の後部開口には、図３，図４に示したように細塵フィルタ１９が着脱可能に嵌合されている。この細塵フィルタ１９は、集塵室１５の後部開口に着脱可能に嵌合された筒状のフィルタ枠１９ａと、フィルタ枠１９ａ内に装着されたフィルタ部材１９ｂを有する。この集塵室１５は、図３に示したように細塵フィルタ１９及び端壁６ｃの連通口（連通路）６ｄを介して電動送風機７の吸込開口７ｃに連通させられている。
【００２６】
尚、本実施例では、フィルタ部材１９ｂにプリーツ加工を施した波形状のプリーツフィルタが用いられている。そして、後壁１３ａ１の下端部と細塵捕捉フィルタ１９の下端部との間には集塵部２０が形成されている。
【００２７】
しかも、筒状容器部１３ａの外側面には、図２〜図５に示したように、筒状部１３ｂとは反対側に位置させて取手（ハンドル）２１が一体に設けられている。この取手２１は、上下に延び且つ筒状容器部１３ａの外側面に固定された中空取付部２２と、中空取付部２２と間隔をおいて上下に延びる握り部２３と、中空取付部２２の上端部と握り部２３の上端部を連設している中空連設部２４から逆Ｕ字状に形成されている。
【００２８】
尚、中空取付部２２は、図１４に示したように壁部２２ａと、壁部２２ａの内面に上下に間隔を置いて一体に設けられた補強板部２２ｂ，２２ｃを有する。この補強板部２２ｂ，２２ｃの筒状容器部１３ａ側の部分には互いに対応する切欠２２ｂ１，２２ｃ１が形成されている。
【００２９】
また、筒状容器部１３ａの両側には、後壁１３ａ１の両側縁から中空取付部２２の下方に向けて斜めにカットされた下端縁２５，２５が形成されている。これにより筒状容器部１３ａの下端部すなわち集塵室１４の下端部は下方及び側方に向けて開口している。
【００３０】
この集塵室１４の開口は、底蓋２６により開閉可能に設けられている。この底蓋（蓋体）２６は、一対の分割底蓋（分割蓋体）２７，２７を有する。この各分割底蓋２７は、底板２７ａ及び側壁２７ｂを有する。そして、各分割底蓋２７の側壁２７ｂは、後側上縁部がヒンジ２８により筒状容器部１３ａの左右の部分に左右に回動可能にそれぞれ取り付けられている。
【００３１】
これにより、一対の分割底蓋２７，２７は図７，図９，図１０，図１２に示すように左右に観音開きするようになっている。尚、分割底蓋２７，２７を閉じたときには、側壁２７ｂ，２７ｂの上縁は筒状容器部１３ａの下端縁２５，２５に気密に係合し、底板２７ａ，２７ａも気密に係合するようになっている。
【００３２】
この側壁２７ｂ，２７ｂの後端部の上端部には、一対の分割底蓋（分割蓋体）２７，２７が閉じているとき、図１１の如く起立した状態でネットフィルタ１８の左右の側部に位置する塵埃掻落部材としてのワイパー２９，２９がそれぞれ一体に設けられている。また、ワイパー２９，２９は、一対の分割底蓋（分割蓋体）２７，２７が図１２の如くひらいたときに、ネットフィルタ１８の下縁部に位置するようになっている。
【００３３】
この分割底蓋２７，２７が開く際、ワイパー２９，２９は矢印３０で示したように分割底蓋２７，２７と一体にヒンジ２８，２８の支持軸２８ａ，２８ａを中心にそれぞれ回動するようになっている。尚、図１１，図１２以外の図では、ワイパー２９，２９以外の部分の説明の便宜上、ワイパー２９，２９の図示を省略してある。
【００３４】
このワイパー２９，２９のネットフィルタ１８側の部分には、ゴムや軟質の合成樹脂或いは刷毛等からなる軟質払拭部材（図示略）が設けられている。この軟質払拭部材（図示略）は、ネットフィルタ１８に軽く接触しても良いし、ネットフィルタ１８との間に微小間隙を形成するように配設されていても良い。要は、ワイパー２９，２９が図１１の位置から図１２の如く矢印３０で示したように回動したとき、ネットフィルタ１８に付着した綿埃等の塵埃を掻き落とすことができればよい。
【００３５】
また、分割底蓋２７，２７の底板２７ａ，２７ａには、取手２１の中空取付部２２側に位置させて係止爪２７ｃ，２７ｃが一体に形成されている。この係止爪２７ｃ，２７ｃは、分割底蓋２７，２７を図６，図８，図１１の如く閉じたとき、図１７の如く揃うようになっている。
【００３６】
この分割底蓋２７，２７は、閉じたときに係止爪２７ｃ，２７ｃが図１４〜図１６のロック装置２８によりロックされるようになっている。このロック装置３１は、中空取付部２２の壁部２２ａに間隔をおいて取り付けられた支持軸３２と、支持軸３２に回動自在に保持されたロック爪３３と、支持軸３２に捲回され且つ両端部がロック爪３３と中空取付部２２の壁部２２ａとの間に介装されたトーションバネ（回動付勢手段）３４を有する。
【００３７】
尚、支持軸３２は、中空取付部２２内に配設されていると共に、取手を上下方向に向けたときに中空取付部２２の幅方向（左右方向）に延びている。そして、トーションバネ３１は、ロック爪３３を集塵容器部１３ａ側に回動付勢して、分割底蓋２７，２７が閉じられたときに、ロック爪３３を図１７の如く係止爪２７ｃ，２７ｃに同時に係止（ロック）するようになっている（図１４〜図１６参照）。３３ａは、ロック爪３３と一体に設けられ且つ筒状容器部１３ａ側に延びる押圧レバー部である。
【００３８】
また、取手２１には、図１４に示したようにロック装置３１のロック解除をさせるロック解除装置（ロック解除手段）３５が設けられている。
【００３９】
このロック解除装置３５は、ロック解除ボタン３６，コイルスプリング（付勢手段）３７，ロック解除ロッド３８を有する。このロック解除ボタン３６は、下部が中空連設部２４内に配設され、上部が中空連設部２４の上壁２４ａに形成した開口２４ｂから上方に突出している。また、コイルスプリング３７は、中空連設部２４内のバネ受３９とロック解除ボタン３６との間に介装されていて、ロック解除ボタン３６を上方にバネ付勢している。
【００４０】
更に、ロック解除ロッド３８は、上端部３８ａがロック解除ボタン３６に保持されている。このロック解除ロッド３８は、上下に向けて延びる下ロッド部３８ｂを有する。この下ロッド部３８ｂは、補強板部２２ｂ，２２ｃに設けた切欠２２ｂ１，２２ｃ１に挿通されていて、下端がロック爪３３と一体の押圧レバー部３３ａの先端部上に近接配置されている。
【００４１】
また、ケース側蓋体１０の後端部には図２に示したようにがヒンジアーム４０が一体に設けられている。このヒンジアーム４０は、下端部（図示せず）が後ケース部６ａの前端部且つ上部に上下回動自在に保持されている。これにより、ケース側蓋体１０は上下に回動可能に後ケース部６ａに取り付けられている。
【００４２】
このケース側蓋体１０の自由端部には、ケース側蓋体１０で集塵容器９の上面を押さえ付けたときに、集塵容器９の取手２１に係止される蓋係止爪（図示せず）が設けられている。この蓋係止爪の係止は、ケース側蓋体１０の自由端部に設けた係止解除ボタン１０ａを押すことで解除される。しかも、このケース側蓋体１０で集塵容器９の上面を押さえ付けたときに、ケース側蓋体１０の自由端部に設けた図示しない突起で押圧されて、取手２１の下端部を載置部６ｂから前側に突出する突部６ｂ１に固定するロック装置（図示せず）が取手２１の握り部２３内に設けられている。この様なケース側蓋体１０と取手２１との係止構造や取手２１のロック装置としては、例えば特開２００３−１９４４６号公報に開示された様な構造を採用できるので、その詳細な説明は省略する。
【００４３】
また、このケース側蓋体１０の自由端部内には、ケース側蓋体１０で集塵容器９の上面を押さえ付けたときに、集塵容器９に設けた小径筒部１６の風路１６ｂに接続されて連通するホース接続口１０ｂが形成されている。
【００４４】
尚、集塵容器９の側方には図５に示したようなカバー板９ａが取り付けられるが、図１，図２，図５以外の図面では説明の便宜上カバー板９ａの図示を省略している。
[作用]
次に、この様な構成の電気掃除機及び集塵容器９の作用を説明する。
【００４５】
図１の手元操作パイプ３に設けた「弱／中」吸込風量切り替え用のスイッチＳ１又は「強」吸込風量用のスイッチＳ２をオン操作すると、図３の電動送風機７が作動させられて、吸込負圧が吸込開口７ｃに発生する。この吸込負圧は、図３の細塵フィルタ１９，第２の集塵室１５，ネットフィルタ１８を介して第１の集塵室１４に作用させられる。しかも、この第１の集塵室１４に作用する吸込負圧は、風路１６ｂ，集塵ホース２，手元操作パイプ３及び延長パイプ４を介して吸込口体５に作用する。
【００４６】
そして、この吸込負圧により、清掃面の塵埃がエア（空気）と共に吸込口体５に吸い込まれることになる。この吸込口体５に吸い込まれた塵埃及びエア（空気）は、延長パイプ４，手元操作パイプ３，集塵ホース２及び図３の風路１６ｂを介して第１の集塵室１４内に流入させられる。
【００４７】
この塵埃及びエアは、図３において風路１６ｂから第１の集塵室１４内に流入するときに直進して、ネットフィルタ１８の塵埃衝突部１８ａ１に衝突する。この際、塵埃及びエアの一部は放射方向に流れるが、エア及び塵埃の大半は下方に流れる。そして、エアは下方に流れながらネットフィルタ１８を透過して第２の集塵室１５内に流入する。この際、ネットフィルタ１８の網目の開口より小さい塵埃もネットフィルタ１８を透過して第２の集塵室１５内に流入する。
【００４８】
一方、ネットフィルタ１８の網目の開口より大きい塵埃は、第１の集塵室１４の下部に流下して堆積させられ、その一部がネットフィルタ１８を通過するエアによりネットフィルタ１８に付着させられる。
【００４９】
このネットフィルタ１８に付着させられた塵埃は、第１の集塵室１４内に連続して流入するエア及び塵埃により剥離されて下方に流下させられ、第１の集塵室１４の底部側に圧縮するようにして堆積させられる。
【００５０】
また、ネットフィルタ１８を透過したエアは、細塵フィルタ１９を透過した後、吸込開口７ｃから電動送風機７内に吸い込まれる。この際、エアに含まれる細塵は細塵フィルタ１９に捕捉されることになる。そして、電動送風機７内に吸い込まれたエアは、モータ部７ｂ内を冷却して、排気口７ｄからモータ部７ｂ外に排気された後、排気孔１１から大気に排気される。
【００５１】
このようにして集塵容器９内に捕集された塵埃を捨てる場合には、先ず図１，図２のケース側蓋体１０の自由端部に設けたロック解除ボタン１０ａを押して、ケース側蓋体１０の自由端部と集塵容器９の取手２１との係止及び取手２１の握り部２３と載置部６ｂから前側に突出する突部６ｂ１とのロック装置によるロックを解除する。
【００５２】
次に、ケース側蓋体１０の自由端部を図２の如く上方に持ち上げて、ケース側蓋体１０を開くことにより、集塵容器９の上方を開放して、集塵容器９を上方に持ち上げることができるようにする。この状態で、取手２１の握り部２３を掴んで集塵容器９を載置部６ｂから上方に取り出した後、集塵容器９をゴミ箱等の上まで移動させる。
【００５３】
そして、図１４においてロック解除ボタン３６をコイルスプリング３７のバネ力に抗して下方に押し下げることにより、ロック解除ロッド３８を下方に変位させる。これにより、ロック爪３３と一体の押圧レバー部３３ａの先端部が図１４，図１５の状態からロック解除ロッド３８によりトーションバネ３４のバネ力に抗して図１６に示したように下方に押圧変位させられ、ロック爪３３が支持軸３２を中心に図１４，図１５の状態から図１６の位置まで時計回り方向に回動させられる。
【００５４】
この回動により、係止爪２７ｃ，２７ｃの係止爪３３による係止（ロック）が解除されて、分割底蓋２７，２７がヒンジ２８，２８を中心に図７，図９，図１０，図１２の如く取手２１の左右に開かれ、集塵室１４内に捕集された塵埃が下方のゴミ箱等に落下させられ捨てられることになる。
【００５５】
この際、塵埃払拭部材であるワイパー２９，２９は、図１２に矢印３０で示したように分割底蓋２７，２７と一体に下方に回動してネットフィルタ１８に付着した塵埃を下方に掻き落とすことになる。
【００５６】
このように分割底蓋２７，２７が左右に開くことで、塵埃が分割底蓋２７，２７の一方に偏るようにして落下することがない。しかも、分割底蓋２７，２７は、開くときの回動半径が一つの底蓋を用いた場合に比べて略半分になる。これらの結果、分割底蓋２７，２７を左右に開いて塵埃を落下させる際に、塵埃の飛散を防止できる。
【００５７】
以上説明したように、この発明の実施の形態の電気掃除機の集塵容器９は、塵埃吸込口（風路１６ｂ）から掃除機本体１の電動送風機７の吸込開口７ｃまでの吸込風路途中に着脱可能に設けられて前記塵埃吸込口（風路１６ｂ）から吸い込まれる塵埃を捕捉する集塵室（第１の集塵室１４）を有した集塵容器本体１３と、前記集塵容器本体１３に設けられた取手２１と、前記集塵容器本体１３にヒンジで取り付けられて前記集塵室（第１の集塵室１４）のゴミ捨て用の開口を開閉する蓋体（底蓋２６）と、前記蓋体（底蓋２６）が前記開口を閉成している状態で前記蓋体（底蓋２６）を前記集塵容器本体１３にロックするロック装置３１と、前記ロック装置３１のロックを解除するロック解除手段（ロック解除装置３５）を備えている。しかも、前記蓋体（底蓋２６）は前記集塵容器本体１３の前記ゴミ捨て用の開口面からそれに隣接する面に亘る一対の分割蓋体（分割底蓋２７，２７）を備え、前記一対の分割蓋体（分割底蓋２７，２７）は観音開き状に前記集塵容器本体１３にヒンジ２８で取り付けられている。
【００５８】
この構成によれば、ゴミ捨て時に一対の分割蓋体（分割底蓋２７，２７）を下方にしてロック解除手段（ロック解除装置３５）を操作することにより、一対の分割蓋体（分割底蓋２７，２７）が互いに離反する方向に開いて、集塵容器本体１３内の塵埃が一対の分割蓋体（分割底蓋２７，２７）の開放端間の中央部に集まるようにして下方に落下することになる。しかも、この際の分割蓋体（分割底蓋２７，２７）の回動半径は分割していない一つの蓋体の場合の半分になる、これらの結果、ゴミ箱上でのゴミ捨て時に、ゴミやホコリの飛散防止を十分にできる。また、綿埃等の塵埃が集塵容器本体１３の内周面に摩擦係止させられていても、蓋体（底蓋２６）を開くことで綿埃等の塵埃を容易に落下させることができる。
【００５９】
尚、本実施例では、集塵容器本体１３の下部を下方に開口させて、一対の分割蓋体（分割底蓋２７，２７）で観音開きするようにしたが、必ずしもこれに限定されるものではない。
【００６０】
例えば、集塵容器本体１３の後部側の筒状部１３ｂ及び後壁１３ａ１を省略して、集塵容器本体１３の後端を後方に開口させ、この開口を一対の分割蓋体で観音開きするようにしてもよい。この場合にも、分割蓋体は集塵容器本体の周面まで回り込ませるようにする。尚、この場合、集塵容器本体１３の側壁に開口を設けて、この開口にネットフィルタを取り付けるようにすると共に、このネットフィルタに近接させて細塵フィルタを設け、この細塵フィルタを介して集塵容器本体内のエアがネットフィルタ及び細塵フィルタを介して電動送風機７の吸込開口７ｃに吸い込まれるようにすると良い。そして、塵埃を捨てるときには集塵容器本体の後部を下方に向けて、一対の分割蓋体を開くことにより、塵埃を下方に落下させることができる。
【００６１】
また、この発明の実施の形態の電気掃除機の集塵容器９は、前記取手２１は前記集塵容器本体１３の側面に取り付けられ、前記一対の分割蓋体（分割底蓋２７，２７）は前記取手２１を中心に左右に配設されている。
【００６２】
この構成によれば、一対の分割蓋体（分割底蓋２７，２７）は取手２１を基準に左右に開くので、ゴミ箱上でのゴミ捨て時に、ゴミやホコリが作業者側に飛散するのを十分に防止できる。尚、取手２１にロック解除手段（ロック解除装置３５）のロック解除ボタン３６を設けた場合には、取手２１の部分でロック解除手段（ロック解除装置３５）のロック解除ができるので、ロック解除を容易に行うことができる。
【００６３】
更に、この発明の実施の形態の電気掃除機の集塵容器９は、前記集塵容器本体１３には前記集塵室（第１の集塵室１４）と前記電動送風機７の吸込開口７ｃとを連通させる連通口６ｄが形成され、前記連通口６ｄには前記塵埃吸込口（風路１６ｂ）から前記集塵室（１４）内に吸い込まれる塵埃を捕捉するネットフィルタ１８が取り付けられていると共に、前記分割蓋体（分割底蓋２７，２７）の開動作に連繋して動作して前記ネットフィルタ１８の集塵室（１４）側の面に捕捉された塵埃を前記ゴミ捨て用の開口側に掻き落とす塵埃払拭部材（ワイパー２９）が設けられている。
【００６４】
この構成によれば、塵埃払拭部材（ワイパー２９）が分割蓋体（分割底蓋２７）に連繋して前記ネットフィルタ１８の集塵室（１４）側の面に捕捉された塵埃を掻き落とすので、ネットフィルタ１８の清掃を自動的に行うことができる。尚、ここで塵埃払拭部材（ワイパー２９）が分割蓋体（分割底蓋２７，２７）に連繋する場合の構成としては以下の場合が考えられる。例えば、分割蓋体（分割底蓋２７，２７）が開く際に塵埃払拭部材（ワイパー２９）が分割蓋体（分割底蓋２７，２７）に連動する場合である。この例としては、塵埃払拭部材（ワイパー２９）が分割蓋体（分割底蓋２７，２７）に一体に設けられていて、分割蓋体（分割底蓋２７，２７）が開く際に塵埃払拭部材（ワイパー２９）が分割蓋体（分割底蓋２７，２７）に連動する場合と、塵埃払拭部材（ワイパー２９）が分割蓋体（分割底蓋２７，２７）と別体に設けられていて、分割蓋体（分割底蓋２７，２７）が開く際に塵埃払拭部材（ワイパー２９）がリンクやギヤ等を介して分割蓋体（分割底蓋２７，２７）に連動する場合が考えられる。また、塵埃払拭部材（ワイパー２９）が分割蓋体（分割底蓋２７，２７）と別体に設けられていて、ロック解除手段（ロック解除装置３５）によりロック装置３１のロックを解除する際、このロック解除手段（ロック解除装置３５）のロック解除操作に連動して塵埃払拭部材（ワイパー２９）が開く場合が考えられる。
【図面の簡単な説明】
【００６５】
【図１】この発明の集塵容器を備える電気掃除機の概略斜視図である。
【図２】図１の掃除機本体のケース側蓋体を開いたときの側面図である。
【図３】図１の掃除機本体の前側の部分のみを部分的に破断して示した掃除機本体の部分断面側面図である。
【図４】図３の集塵容器の拡大断面図である。
【図５】図２，図３の集塵容器を斜め前側から見た斜視図である。
【図６】図５の集塵容器の正面図である。
【図７】図５の分割底蓋が左右に開いた状態を示す説明図である。
【図８】図５の集塵容器からカバー板を除いて別の角度から見た斜視図である。
【図９】図８の分割底蓋が左右に開いた状態を示す説明図である。
【図１０】図９の一部を部分的に破断して示した説明図である。
【図１１】図６の一部をネットフィルタが見えるように部分的に破断して示した説明図である。
【図１２】図１１の分割底蓋が左右開いた状態を示す説明図である。
【図１３】図４の集塵容器の分解斜視図である。
【図１４】図４の集塵容器の取手及び底蓋のロック装置の断面図である。
【図１５】図１４のロック装置の拡大断面図である。
【図１６】図１４のロック装置の作用説明図である。
【図１７】図１４の底蓋の係止爪の斜視図である。
【符号の説明】
【００６６】
９…集塵容器
１６ｂ…風路（塵埃吸込口）
１…掃除機本体
７…電動送風機
７ｃ…吸込開口
１４…第１の集塵室（集塵室）
１３…集塵容器本体
２１…取手
２６…底蓋（蓋体）
３１…ロック装置
３５…ロック解除装置（ロック解除手段）
２７…分割底蓋（分割蓋体）
２８…ヒンジ
２９…ワイパー（塵埃払拭部材）
【図１】
2005087507.tif 000003
【図２】
2005087507.tif 000004
【図３】
2005087507.tif 000005
【図４】
2005087507.tif 000006
【図５】
2005087507.tif 000007
【図６】
2005087507.tif 000008
【図７】
2005087507.tif 000009
【図８】
2005087507.tif 000010
【図９】
2005087507.tif 000011
【図１０】
2005087507.tif 000012
【図１１】
2005087507.tif 000013
【図１２】
2005087507.tif 000014
【図１３】
2005087507.tif 000015
【図１４】
2005087507.tif 000016
【図１５】
2005087507.tif 000017
【図１６】
2005087507.tif 000018
【図１７】
2005087507.tif 000019